(57)【要約】【課題】解決しようとする問題点は、大人の目が届かない状況では扉を開けるための操作部（把手）を回動できなくすることと、その構造をより簡単な構造とすること。【解決手段】扉の上下にわたる把手を設け、その把手の上下両端部に一対の鉤部材を設け、把手と鉤部材とを扉の上下方向の軸で回動可能に軸支すると共に、把手の回動を認否することで扉の開閉を規制する扉の安全装置であり、把手は、回動軸を中心とした棒状体とその棒状体の上下に渡って円周方向に張り出した操作片と前記操作片との隙間をあけて上下にわたって張り出したストッパー片からなり、前記操作片と扉の隙間にカムを配置し、そのカムに前記ストッパー片に接触させることにより把手の回動を阻止する肉厚部と一定角度のみ回動可能とする肉薄部を選択可能に形成した。【選択図】図２
2005226377.tif 000002
【特許請求の範囲】
【請求項１】
左右どちらか一側端部を中心として揺動する扉において、他方の端部寄りに上下にわたる把手を設け、その把手の上下両端部に一対の鉤部材を設け、把手の回動により鉤部材が戸枠の掛合部に掛合離脱するよう把手と鉤部材とを扉の上下方向の軸で回動可能に軸支し、把手の回動を認否することで扉の開閉を規制する収納家具扉の安全装置。
【請求項２】
把手は、鉤部材を介して上下端部を扉の上下端部に軸支し、その回動軸を中心とした棒状体とその棒状体の上下にわたって円周方向に張り出した操作片と前記操作片との隙間をあけて上下にわたって張り出したストッパー片からなり、前記操作片と扉の隙間に配置したカムの肉厚部と肉薄部のどちらかを選択し把手の操作片とストッパー片の間に臨ませて、把手の回動を阻止、あるいは一定角度のみ回動可能とすることを特長とする請求項１記載の収納家具扉の安全装置。
【請求項３】
前記カムは、扉に対して前後方向の軸で回転可能に軸支し、互いに隣合う面に肉厚部と肉薄部を形成し、前記肉厚部の厚みは把手の回動を阻止するため操作片とストッパー片の隙間幅とほぼ同じに形成し、前記肉薄部の厚みは把手を一定角度のみ回動可能とするため肉厚部の厚みより薄く形成したことを特長とする請求項１または２記載の収納家具扉の安全装置。
【発明の詳細な説明】
【技術分野】
【０００１】
本発明は、収納家具の扉の安全装置に関するものである。詳しくは揺動扉のラッチをはずす操作を規制するもので、いわゆるチャイルドロックと言われる安全装置の構造に関するものである。
【背景技術】
【０００２】
従来キャビネット等の収納家具の前面開口部を開閉する扉は、引戸に比べて構造が簡単な揺動タイプの扉が多く見られる。扉の一側方をヒンジで軸支し、他側方にラッチを設けて戸枠の掛合部に掛合する構造である。扉を閉めることにより鉤部材は自動的にバネ等の力で戸枠の掛合部に掛合し、扉を開く時は鉤部材と一体的な操作部またはリンクした操作部を操作して掛合をはずすので、操作部は把手を兼ねている場合が多い。
【特許文献１】特開平１０−１１７８７０号公報
【特許文献２】特開平０９−１８４３４６号公報
【０００３】
しかし、従来の扉のラッチ構造では、上記特許文献１のように鍵により施錠、解錠を行うものや、特許文献２のように地震等で内部の収納物が倒れて内側から扉を押しても開かないが把手を引くと簡単に扉が開く構造の収納家具はあるが、子供等が容易に開くことのできない扉構造の収納家具はなかった。
【０００４】
このように従来、屋外に置く収納家具や事務所に置く収納家具では盗難を防ぐため鍵により施錠、解錠を行う扉構造が一般的である。しかし一般家庭の屋内に置く収納家具については最初から盗難を考慮していないため鍵施錠装置はなく、しかも使いやすさを追求した結果、より簡単な操作で扉を開けることができる。それは便利である反面、危険な状況が発生する場合も考えられる。
【０００５】
例えば、開いた扉が閉じる時に子供が指を詰めたり、扉が開いた衝撃で上段の棚板に載せていた品物が落下することも考えられる。また収納家具をベランダ等に設置した場合は、開いた扉が風で煽られて家具が転倒することも考えられる。このように簡単に扉を開けることができることにより通常の大人では考えられない問題が発生することがある。
【発明の開示】
【発明が解決しようとする課題】
【０００６】
解決しようとする問題点は、大人の目が届かない状況では扉を開けるための操作部（把手）を回動できなくすることと、その構造をより簡単な構造とすることである。
【課題を解決するための手段】
【０００７】
本発明は、扉の上下にわたる把手を設け、その把手の上下両端部に一対の鉤部材を設け、把手と鉤部材とを扉の上下方向の軸で回動可能に軸支すると共に、把手の回動を認否することで扉の開閉を規制する扉の安全装置であり、把手は、回動軸を中心とした棒状体とその棒状体の上下に渡って円周方向に張り出した操作片と前記操作片との隙間をあけて上下にわたって張り出したストッパー片からなり、前記操作片と扉の隙間にカムを正面から見えないように配置し、そのカムに前記ストッパー片に接触させることにより把手の回動を阻止する肉厚部と一定角度のみ回動可能とする肉薄部を選択可能に形成した。
【０００８】
よって子供が収納家具のある部屋で遊んでいるような場合は、カムの肉厚部を選択して把手のストッパーに接触させることで、把手の回動を阻止して扉が開かないようにできる。
【０００９】
また、前記カムは、扉に対して前後方向の軸で回転可能に軸支し、前記肉厚部の厚みは把手の回動を阻止するため操作片とストッパー片の隙間幅とほぼ同じ厚さに形成し、前記肉薄部の厚みは把手を一定角度のみ回動可能とするため肉厚部の厚みより薄く形成した。また一方に延長して形成したつまみの操作により、互いに隣合う面に形成した肉薄部と肉厚部を選択して操作片とストッパー片の間に臨ませる構造とした。
【発明の効果】
【００１０】
本発明の扉構造は、上記のように簡単な構造と操作で扉を開くことを規制できるので、幼い子供が意図せずして扉を開けて、その扉が他の子供の動作あるいは風により閉じて手や指を詰めるというような事故を未然に防ぐことができる。また扉が開いて収納家具の上部に収納していた収納物が落下して破損するまたは怪我をするような事故も未然に防止することができる。
【発明を実施するための最良の形態】
【００１１】
以下、本発明を図の具体例を用いて詳細に説明する。
【実施例１】
【００１２】
図１は、本発明の扉構造を用いた収納家具の全体を示す斜視図である。収納家具Ａは、床板Ａ１、側面パネルＡ２、Ａ２、背面パネル（図示なし）、屋根パネルＡ３からなる前面を開口した箱体であり、前記開口部を扉１で開閉する。扉１はその右側端部を、収納家具Ａの開口周囲の戸枠に軸支し、左側端寄りに上下にわたる把手２と、その把手２の上下端部にそれぞれ鉤部材３、３を配置し、中央に前記把手２に隠れるように安全装置であるカム５を配置する。
【００１３】
図２は、安全装置がかかった状態の収納家具Ａのラッチ部分の断面図（ａ）と左端付近の上半分を一部分解切断して示した正面図（ｂ）である。
【００１４】
扉１は、左側端寄り外面に溝部１１を形成し、その溝部１１内に上下にわたる棒状体２１とその棒状体２１の上下にわたって円周方向右側に張り出した操作片２２と前記操作片２２との隙間をあけて上下にわたって張り出したストッパー片２３からなる把手２と、その把手２の上下端部に配置された鉤部材３を有する。把手２と鉤部材３は回動軸４で扉１の上下端部にそれぞれ回動可能に軸支されている。
【００１５】
カム５は、図２（ｂ）中で右下方向に延長形成したつまみ５１と左側面に肉厚部５２と上面に肉薄部５３を形成し、前後方向の軸５４で扉１に軸支し、正面からは前記把手２の操作片２２に隠れて見えない状態で操作片２２と扉１の溝部１１の隙間で上下方向の任意位置に配置する。
【００１６】
前記肉厚部５２は、図２（ａ）に示すように、把手２の操作片２２とストッパー片２３の隙間の幅とほぼ同じ厚さに形成し、この状態で肉厚部５２の角がストッパー片２３に接触しており把手２は回動できないのでラッチの鉤部材３は外すことができない。
【００１７】
図３は、安全装置を解除してラッチの鉤部材３を外した状態の収納家具Ａのラッチ部分の断面図（ａ）と左端付近の上半分を一部分解切断して示した正面図（ｂ）である。
【００１８】
カム５は、図２の状態から図中で反時計回りに９０度回転させた状態で、肉厚部５２が下方を向き肉薄部５３が左側方を向いている。図３（ａ）に示すように前記肉薄部５３は、その厚さが肉厚部５２の半分以下でその薄くなった分だけ把手２は回動可能となるので、ラッチの鉤部材３は外すことができる。
【００１９】
図４は、図２と同じく安全装置がかかった状態の収納家具Ａのラッチ部分および安全装置部分を一部分解して示した斜視図である。
【００２０】
図５は、安全装置を解除した状態の収納家具Ａのラッチ部分および安全装置部分を一部分解して示した斜視図である。
【産業上の利用可能性】
【００２１】
本発明の扉の安全装置は、鍵による施錠解錠する錠前装置が不要な室内あるいはベランダ等に設置する収納家具を、子供特に幼児がいる家庭で使用する場合に、その効果がもっとも発揮できるものである。
【図面の簡単な説明】
【００２２】
【図１】全体の斜視図
【図２】要部を示す断面図および正面図
【図３】要部を示す断面図および正面図
【図４】要部を示す分解斜視図
【図５】要部を示す分解斜視図
【符号の説明】
【００２３】
Ａ…収納家具
Ａ１…床パネル
Ａ２…側面パネル
Ａ３…屋根パネル
１…扉
２…把手
２１…棒状体
２２…操作片
２３…ストッパー片
３…鉤部材
４…回動軸
５…カム
５１…つまみ
５２…肉厚部
５３…肉薄部
【図１】
2005226377.tif 000003
【図２】
2005226377.tif 000004
【図３】
2005226377.tif 000005
【図４】
2005226377.tif 000006
【図５】
2005226377.tif 000007